(57)【要約】【課題】プーリの案内溝に付着した異物を取り除くことにある。【解決手段】フォークリフトの運転中、作業に応じてミドルマスト及びロアビーム２は昇降し、それに応じて油圧ホース１４は自由回転するプーリ１０に案内されて上下動する。仮に異物がプーリ１０の左上側に位置する案内溝１３内に付着した場合、プーリ１０が時計方向に回転すると、案内溝１３内に付着した異物はアーム１８又は１９の湾曲状の溝２３又は２６によって掬い上げられる。湾曲状の溝２３又は２６に乗った異物は慣性力により湾曲状の溝２３又は２６上をせり上がり、上面２４又は２７上に至る。さらに上面２４又は２７上の異物は上面２４又は２７の傾斜に沿ってプーリ１０の外方へ排出される。【選択図】図２
2009143690.tif 000002
【特許請求の範囲】
【請求項１】
外周囲に案内溝を形成したプーリをマストの内側に回転可能に配設し、油圧ホースあるいはリフトチェーンを前記プーリの案内溝に巻き掛けて案内するように構成したフォークリフトにおいて、
異物排出部材を前記プーリの外周に配設するとともに、
前記異物排出部材は前記案内溝から異物を掻き出すためのアームを備え、前記アームは前記案内溝に挿入配置したことを特徴とするフォークリフトにおける異物排出装置。
【請求項２】
前記アームを前記異物排出部材の取付部から延出するように形成し、前記アームの上面に前記案内溝に挿入する先端部から前記取付部に向けて順次浅くなる湾曲状の溝を形成するとともに前記アームの上面を傾斜させたことを特徴とする請求項１に記載のフォークリフトにおける異物排出装置。
【請求項３】
前記異物排出部材は、一方に前記アームを備えるとともに、他方に前記プーリの外周の一部を覆うカバー部材を設けたことを特徴とする請求項１又は請求項２に記載のフォークリフトにおける異物排出装置。
【発明の詳細な説明】
【技術分野】
【０００１】
本願発明は、フォークリフトのマスト内側に設けた油圧ホースあるいはチェーンを巻き掛け、案内するプーリの異物排出装置に関するものである。
【背景技術】
【０００２】
特許文献１は以下に記載したチェーンプロテクタが開示されている。チェーンホイール４がインナーマスト１の内側に回転可能に支持されている。チェーンホイール４にはリフトチェーン５が掛装されている。リフトチェーン５の内方には、ホース６がリフトチェーン５と並列に配設されている。ホース６はホースプーリ７に掛装されている。ホースプーリ７はプーリ軸８にマスト内方側から回転可能に支持されている。プーリ軸８はプーリブラケット１０及びチェーンプロテクタ１１を連結している。プーリブラケット１０はアッパータイビーム２に固定されている。チェーンプロテクタ１１は水平部１１ｂがホースプーリ７の下方を通り、チェーンホイール４の下方まで延長されてチェーンホイール４に近設している。
【０００３】
リフトチェーン５が上昇する時、リフトチェーン５に付着した異物（例えば、荷や包装材の切れ端など）はチェーンホイール４に接する前にチェーンプロテクタ１１の水平部１１ｂにぶつかり、チェーンホイール４とリフトチェーン５との間に異物が挟み込まれることを防止する。また、チェーンプロテクタ１１の水平部１１ｂはホースプーリ７の下方にも近接されているので、前記と同様にホース６とホースプーリ７との間に異物を挟みこむことが防止される。
【０００４】
【特許文献１】特開平５−３１９７９２号公報
【発明の開示】
【発明が解決しようとする課題】
【０００５】
特許文献１に開示されるように、従来はチェーンプロテクタ１１のようなカバーをチェーンホイール４やホースプーリ７（本願明細書ではプーリと総称する）に近接して設け、異物が入り込まないように工夫した構成が一般的である。しかし、フォークリフトのように作業を行なう車両では、構造上プーリ（特許文献１のチェーンホイール４やホースプーリ７）を完全に覆うことが難しいため、異物はカバーされていないところからチェーンホイール４あるいはホースプーリ７に付着する可能性がある。付着した異物はプーリ（特許文献１のホースプーリ７）とホース６との間あるいはプーリ（特許文献１のチェーンホイール４）とリフトチェーン５との間に入り込む可能性がある。もしも異物がプーリの溝に入り込んだままフォークリフトの作業を続けると、ホース６あるいはリフトチェーン５が外れてしまうという虞があるため異物を排出する装置を設けることが好ましい。
【０００６】
本願発明の目的は、プーリに異物が付着した場合に、プーリの溝から異物を取り除くことができる異物排出装置を提供することである。
【課題を解決するための手段】
【０００７】
請求項１に記載の本願発明は、外周囲に案内溝を形成したプーリをマストの内側に回転可能に配設し、油圧ホースあるいはリフトチェーンを前記プーリの案内溝に巻き掛けて案内するように構成したフォークリフトにおいて、異物排出部材を前記プーリの外周囲に配設するとともに、前記異物排出部材は前記案内溝から異物を掻き出すためのアームを備え、前記アームは前記案内溝に挿入配置したことを特徴とする。
【０００８】
請求項１記載の本願発明によれば、プーリの案内溝に挿入したアームによってプーリと油圧ホースあるいはリフトチェーンとの間に入り込んだ異物を取り除くことが可能となる。
【０００９】
請求項２に記載の本願発明は、前記アームを前記異物排出部材の取付部から延出するように形成し、前記アームの上面に前記案内溝に挿入する先端部から前記取付部に向けて順次浅くなる湾曲状の溝を形成するとともに前記アームの上面を傾斜させたことを特徴とするため、プーリから取り除いた異物を前記アームの傾斜した上面によって案内溝の外方へ排出することができる。
【００１０】
請求項３に記載の本願発明は、前記異物排出部材は一方に前記アームを備えるとともに、他方に前記プーリの外周の一部を覆うカバー部材を設けたことを特徴とするため、カバー部材によるプーリへの異物の付着防止機能とプーリに付着した異物を取り除き、排出する機能とを併せ持つことができる。
【発明の効果】
【００１１】
本願発明は、プーリに異物が付着した場合に、プーリの溝から異物を取り除くことができる異物排出装置を提供することができる。
【発明を実施するための最良の形態】
【００１２】
（第１の実施形態）
以下、第１の実施形態を図１〜図５に基づいて説明する。
図１及び図２は三段マストを備えたフォークリフトに本願発明を実施した形態を示す。本願発明のマストに対応するミドルマスト１（片側のみを示す）は下端部をロアビーム２によって連結されている。ミドルマスト１の内側となるロアビーム２上にＬ字型のブラケット３がボルト４によって固定され、ブラケット３に平板上の支持ブラケット５がボルト６によって固定されている。
【００１３】
支持ブラケット５の上部７を貫通するボルト８はカラー９を介在して２つのプーリ１０を回転可能に支持し、ナット１１によって支持ブラケット５に固定されている。プーリ１０の外周には両側のフランジ１２によって案内溝１３が形成されている。案内溝１３は油圧ホース１４をプーリ１０の下端に巻き掛け、上方に案内する。なお、支持ブラケット５の上部７の両側面には下方に延びるＬ字型のロッド１５が溶接等により固定されている。ロッド１５の先端は水平方向に屈曲され、プーリ１０の外周に近接して配置される。ロッド１５は油圧ホース１４の弛みを防止する。
【００１４】
一方、プーリ１０の外周の上端には異物排出部材１６が配設されている。異物排出部材１６は図３〜図５に示すように、一体に構成された平板状の取付部１７と下方に向けて延設される４本のアーム１８、１９、２０、２１とからなる。アーム１８〜２１を片側に２本配置する点は２つのプーリ１０に対応するためである。即ち、取付部１７の片側に配置するアーム１８、１９の数はフォークリフトに備えられたプーリ１０の案内溝１３の数に対応する。
【００１５】
本実施形態では片側のアーム１８、１９がそれぞれもう一方のアーム２０、２１と対称な形状で形成されているため、アーム１８、１９について詳細に説明し、また各部の符号は同一に表示する。アーム１８は図３に示すように、取付部１７から所定の角度で斜め下方に延出している。アーム１８の先端部２２は樋状に形成され、湾曲状の溝２３を有する。湾曲状の溝２３は先端部２２側が最も深く形成され、取付部１７に向かうに伴い順次浅くなり、上面２４に至るように形成されている。アーム１８の上面２４は図５に明示されるように、図の右側、即ち図２に示したプーリ１０の右側に傾斜している。また、傾斜させた上面２４の平面と取付部１７の平面は、交差して図４に示す傾斜部分２４ａを形成している。
【００１６】
アーム１９はアーム１８と同様に、取付部１７から所定の角度で斜め下方に延出している。アーム１９の先端部２５は樋状に形成され、湾曲状の溝２６を有する。湾曲状の溝２６は先端部２５側が最も深く形成され、取付部１７に向かうに伴い順次浅くなり、上面２７に至るように形成されている。アーム１９の上面２７は図５に明示されるように、図の左側、即ち図２に示したプーリ１０の左側に傾斜している。アーム１９の上面２７とアーム１８の上面２４とは、アーム１８とアーム１９の間を頂点として両側に下方に広がるように傾斜させた形状である。また、傾斜させた上面２７と取付部１７の平面は、交差して図４に示す緩やかな傾斜部分２７ａを形成している。なお、本実施形態では、傾斜部分２７ａの傾斜角度は、アーム１８の傾斜部分２４ａの傾斜角度に比べ緩やかとしているが、両傾斜角度を同じとしても良い。つまりアーム１８とアーム１９は対称形状としても良い。
【００１７】
取付部１７のほぼ中央の２箇所には取付孔２８が穿設されている。また、図３には強度を出すためにアーム１８、２０を連結した壁部２９が示されている。
【００１８】
異物排出部材１６は図１及び図２に示すように、取付部１７の取付孔２８を貫通するボルト３０によってＬ字型の取付ブラケット３１の水平部に固定されている。取付ブラケット３１はその垂直部が支持ブラケット５の上部７にプーリ１０を支持するボルト８及び他のボルト３２によって固定されている。
【００１９】
異物排出部材１６が取付ブラケット３１に固定されると、アーム１８、２０の各先端部２２は図２の右側に位置するプーリ１０の案内溝１３に挿入され、案内溝１３の底部に接近した状態に配置される。また、アーム１９、２１の各先端部２５は図２の左側に位置するプーリ１０の案内溝１３に挿入され、案内溝１３の底部に接近した状態に配置される。また、各アーム１８〜２１は、案内溝１３を形成するフランジ１２とも近接し、案内溝１３の周を一部遮っている。なお、各アーム１８〜２１はプーリ１０の回転時に接触しないように案内溝１３に対しわずかに間隔を設けている。
【００２０】
以上のように構成された第１の実施形態の作用を以下に説明する。
フォークリフトの運転中、作業に応じてミドルマスト１及びロアビーム２は昇降し、それに応じて油圧ホース１４は自由回転するプーリ１０に案内されて図１の矢印方向に上下動する。仮に案内溝１３内に異物が付着した状態でプーリ１０が時計方向に回転すると、案内溝１３内に付着した異物はアーム１８又は１９の湾曲状の溝２３又は２６によって掬い上げられる。アーム１８又は１９により掻き出された異物は、湾曲状の溝２３又は２６に乗って慣性力により湾曲状の溝２３又は２６上をせり上がり、上面２４又は２７上に至る。さらに上面２４又は２７上の異物は上面２４又は２７の傾斜に沿ってプーリ１０の上方から側方へ、つまり案内溝１３の外方へ異物は排出される。
【００２１】
異物が案内溝１３内に付着しプーリ１０が反時計方向に回転した場合は、アーム２０又は２１がアーム１８又は１９の場合と同様に作用し、異物を案内溝１３の外方へ速やかに排出する。
【００２２】
前記した本願発明の第１の実施形態は、以下の作用効果が得られる。
（１）フォークリフトの作業中、プーリ１０が回転すると、アーム１８、１９又はアーム２０、２１によってプーリ１０の案内溝１３内に付着した異物を確実に、かつ速やかに案内溝１３から掻き出し、外方へ排出することができる。従って、異物が油圧ホース１４と案内溝１３との間に入り込み、油圧ホース１４がプーリ１０から外れる虞がなくなる。
（２）異物排出装置１６は、一方のアーム１８、１９と他方のアーム２０、２１とを備えるため、プーリ１０の時計回りおよび反時計回りの両方向の回転において異物を排出することができる。
（３）アーム１８〜２１は順次せり上がる湾曲状の溝２３、２６及び傾斜した上面２４、２７を備えた構成であるため、異物をプーリ１０の案内溝１３から掬い上げ及び外方への排出を確実に行なうことができる。
（４）アーム１８〜２１の傾斜させた上面２４、２７は落下してきた異物をプーリ１０に付着することを防ぐとともに、案内溝１３の外方、つまりプーリ１０の上方から側方へ異物を滑り落とすことができる。
【００２３】
（第２の実施形態）
図６及び図７に示す第２の実施形態は、第１の実施形態における異物排出部材１６を一部変更したもので、第１の実施形態と同一の構成については同一の符号を付し、詳細な説明を省略する。
第２の実施形態における異物排出部材３３は図７に示すように、取付部３４を挟んで図面左側の一方には第１の実施形態と同一構造のアーム１８、１９を延設し、図面右側の他方にはカバー部材３５が設けられている。取付部３４、アーム１８、１９及びカバー部材３５は一体に構成されている。
【００２４】
カバー部材３５は図２に示した２つのプーリ１０と対応するように第１カバー３６及び第２カバー３７から構成されている。第１カバー３６及び第２カバー３７は表面を図６に示すように、下方に向かう湾曲面に形成され、また対称な形状に形成されている。従って、第１カバー３６及び第２カバー３７は上部に異物が滞留し難い形状である。なお、取付部３４のほぼ中央部には２つの取付孔３８が穿設されている。
【００２５】
異物排出部材３３は取付ブラケット３１にボルト３０によって固定され、取付ブラケット３１が支持ブラケット５の上部７にボルト８及びボルト３２によって固定されることによりプーリ１０に取り付けられる。この状態で、異物排出部材３３のアーム１８、１９の各先端部２２、２５はそれぞれ第１の実施形態と同様に２つのプーリ１０の各案内溝１３に挿入された配置となる。異物排出部材３３のカバー部材３５は案内溝１３には挿入されず、各プーリ１０のフランジ１２よりも外周に配置される。従って、アーム１８、１９は第１の実施形態と同様にプーリ１０の案内溝１３に付着した異物を掬い上げ、排出する機能を有する。一方、カバー部材３５はその近辺の異物がプーリ１０の案内溝１３に侵入することを防止するとともに下方向への湾曲面により上部側での異物の滞留を防止する機能を有する。
【００２６】
本願発明は、前記した各実施形態の構成に限定されるものではなく本願発明の趣旨の範囲内で種々の変更が可能であり、次のように実施することができる。
【００２７】
（１）第１の実施形態において、異物排出部材１６はプーリ１０の１方向の回転に対応する位置のアームのみ、例えばアーム１８、１９のみを備えた構成としても異物排出を十分行なうことができる。
（２）異物排出装置１６は油圧ホース１４の２本掛けに限らず、４本掛け等複数配列した場合のプーリにも実施することができる。また、この場合、アームを溝の数に対応させた数設けると良い。
（３）本願発明は油圧ホース１４を巻き掛け、案内するプーリ１０に限らず、リフトチェーンを巻き掛け、案内するプーリにおいても実施することができる。
（４）本願発明は三段マストを備えたフォークリフトに限らず、二段マストを備えたフォークリフトにおいても実施することができる。
（５）前記各実施例においてはプーリ１０がフォークリフトの下方に配設された場合について説明したが、プーリ１０がフォークリフトの上方に配置されている場合でも本願発明を実施することができる。
（６）また、第１の実施形態における異物排出部材１６の取付ブラケット３１は、水平部および垂直部が直交するＬ字型に限らず、図８に示すように鈍角に交差するＬ字型の取付ブラケット３９としてもよい。図８の実施形態では、取付ブラケット３９の開き角度に合わせて、異物排出部材４０の取付部４１の上面に傾斜を設けてある。これにより、異物が取付ブラケット３９の上部に乗った場合、プーリ１０の脇、つまり外方であるブラケット３９の垂直部の方向へ転がり落ちることになり、異物をプーリ１０の上方から排除することができる。
【図面の簡単な説明】
【００２８】
【図１】第１の実施形態を示す正面図である。
【図２】図１のマストを除く側面図である。
【図３】第１の実施形態における異物排出部材を示す正面図である。
【図４】図３の平面図である。
【図５】アームの先端側から見た異物排出部材の部分図である。
【図６】第２の実施形態を示す図１に対応した背面図である。
【図７】第２の実施形態における異物排出部材を示す平面図である。
【図８】他の実施形態を示す側面図である。
【符号の説明】
【００２９】
１    ミドルマスト
２    ロアビーム
５    支持ブラケット
１０  プーリ
１２  フランジ
１３  案内溝
１４  油圧ホース
１６、３３、４０  異物排出部材
１７、３４、４１  取付部
１８、１９、２０、２１  アーム
２２、２５  アームの先端部
２３、２６  湾曲状の溝
２４、２７  アームの上面
３１、３９  取付ブラケット
３５  カバー部材
３６  第１カバー
３７  第２カバー
【図１】
2009143690.tif 000003
【図２】
2009143690.tif 000004
【図３】
2009143690.tif 000005
【図４】
2009143690.tif 000006
【図５】
2009143690.tif 000007
【図６】
2009143690.tif 000008
【図７】
2009143690.tif 000009
【図８】
2009143690.tif 000010